(57)【要約】【課題】  簡単な構造でダンパの取付け労力を大幅に低減可能なダンパ付空調用ボックスを提供する。【解決手段】  ダクトが接続可能な箱形のボックス本体部２と、ボックス本体部２の下面２ａに形成される開口部２１と、ボックス本体部２の側面２ｂ、２ｃに切り起こしによって側面２ｂ、２ｃと一体に形成され、ダクトと開口部２１とを連通する空気流量調整用のダンパ３、４と、を備えたことを特徴とする。【選択図】  図１
2012145265.tif 000002
【特許請求の範囲】
【請求項１】
ダクトが接続可能な箱形のボックス本体部と、
前記ボックス本体部の一つの面に形成される開口部と、
前記ボックス本体部の他の面に切り起こしによって前記他の面と一体に形成され、前記ダクトと前記開口部とを連通する空気流量調整用のダンパと、
を備えたことを特徴とするダンパ付空調用ボックス。
【請求項２】
前記ダンパは、前記ボックス本体部の前記他の面に対向して形成された山型の軌跡を描く切れ目を有する第１の切り込み部と第２の切り込み部とを互いに接近するように前記ボックス本体部の内側または外側に折り曲げることにより構成されている、ことを特徴とする請求項１に記載のダンパ付空調用ボックス。
【請求項３】
前記第１の切り込み部は山型の底辺部がミシン目で形成され、前記第２の切り込み部は山型の底辺部がミシン目で形成されている、ことを特徴とする請求項１または２に記載のダンパ付空調用ボックス。
【請求項４】
前記ボックス本体部は略水平な上面および底面を有し、
前記ダンパは、前記ボックス本体部の複数の側面に形成され、前記開口部は前記ボックスの底面に形成されている、ことを特徴とする請求項１から３のいずれか１項に記載のダンパ付空調用ボックス。
【発明の詳細な説明】
【技術分野】
【０００１】
この発明は、ダクトおよび吹出口、吸込口との間に配設されるダンパ付空調用ボックスに関する。
【背景技術】
【０００２】
空気調和機で温度、湿度や清浄度を調整された空気（給気）は、ダクトなどを介して送気され、天井部や室（居室空間）の側壁部などに設けられた吹出口から居室空間へ供給される。居室空間へ供給する空気の流量や風向などは、居室空間の使用目的に応じて調整する必要がある。
【０００３】
そこで、円胴体内に配設した調節筒を回動させて、接続筒基部の開口と調節筒の連通口とを開通又は遮絶し或いは両口の重合度によって開通度を自由に調整できるようにした天井内吊下型空気吹出口接続ユニットに関する技術（例えば、特許文献１参照。）や、通風口内に配設され、回動自在な風向調節ダンパに関する技術（例えば、特許文献２参照。）が知られている。
【０００４】
また、箱形状のチャンバの風入部に移動自在に配置され、横断面形状が風入部の横断面形状に対応し風入部の上流側に向けて縮形形成されるダンパなどを備えてなる給気ダクト用風向調整装置に関する技術（例えば、特許文献３参照。）や、チャンバ内部の断面積を空気調和機からの送風方向に沿って上流側から下流側へ連続的に減少させて下流端を閉塞したチャンバ胴部を有し、このチャンバ胴部に対し送風方向に沿って位置が異なる少なくとも上流側の吹き出し口と下流側の吹き出し口を設け、これらの吹き出し口に前記ダクトを接続するように構成した空調用チャンバに関する技術（例えば、特許文献４参照。）が知られている。さらにまた、チャンバ本体内に風向調整体を配設し、チャンバ本体内に流入した気流をチャンバ本体中央から側方に案内して気流の直進を防ぐことにより、チャンバ本体奥端部に集中していた気流の勢いを分散し、各側壁の出口側開口部に気流をより均一に分配する空気調和用チャンバに関する技術（例えば、特許文献５参照。）が知られている。
【先行技術文献】
【特許文献】
【０００５】
【特許文献１】実公昭５９−００２４２０号公報
【特許文献２】実開昭６４−０４８５３９号公報
【特許文献３】特開平１０−００２６０３号公報
【特許文献４】特許第３５１０１５３号公報
【特許文献５】特開２０００−１３０８３０号公報
【発明の概要】
【発明が解決しようとする課題】
【０００６】
しかしながら、特許文献１から５に記載されたいずれの技術でも、ダクトなどの送気設備または空調用ボックスにダンパ（風向調整体）などを配設する必要があった。そのため、部品点数が多く、また構造が複雑になるとともに、大規模な構築物の場合には空調用ボックスの数も多くなるため高コストを招き、さらにダンパの取付けに多大な労力を要するという問題があった。より詳しくは、例えば図６に示すように、空気調和機を通した空気（給気）が給気ダクト１０１から搬送され、多数の空調用ボックス１００を経て、居室空間の天井などに設置された吹出口（アネモ）Ｖから吹き出す場合について説明する。この場合、給気ダクト１０１から空調用ボックス１００への吹込口（空調用ボックス１００の上流側）に、ダンパＶＤをそれぞれ設置する必要がある。このように、空調用ボックス１００を多数設置する際に、ダクトと空調用ボックス１００との間に、接続されるダクト数と同数のダンパＶＤを設置、調整する必要があり、多大な労力を要するものであった。また、材料費も多く要するものであった。
【０００７】
この発明は、前記の課題を解決し、簡単な構造でダンパの取付け労力を大幅に低減可能なダンパ付空調用ボックスを提供することを目的としている。
【課題を解決するための手段】
【０００８】
前記の課題を解決するために、請求項１の発明は、ダクトが接続可能な箱形のボックス本体部と、前記ボックス本体部の一つの面に形成される開口部と、前記ボックス本体部の他の面に切り起こしによって前記他の面と一体に形成され、前記ダクトと前記開口部とを連通する空気流量調整用のダンパと、を備えたことを特徴とする。
【０００９】
この発明によれば、ダンパがボックス本体部の他の面に切り起こしによって他の面と一体に形成され、ダクトと開口部とが連通される。
【００１０】
請求項２の発明は、請求項１に記載のダンパ付空調用ボックスにおいて、前記ダンパは、前記ボックス本体部の前記他の面に対向して形成された山型の軌跡を描く切れ目を有する第１の切り込み部と第２の切り込み部とを互いに接近するように前記ボックス本体部の内側または外側に折り曲げることにより構成されている、ことを特徴とする。
【００１１】
請求項３の発明は、請求項１または２に記載のダンパ付空調用ボックスにおいて、前記第１の切り込み部は山型の底辺部がミシン目で形成され、前記第２の切り込み部は山型の底辺部がミシン目で形成されている、ことを特徴とする。
【００１２】
請求項４の発明は、請求項１から３のいずれか１項に記載のダンパ付空調用ボックスにおいて、前記ボックス本体部は略水平な上面および底面を有し、前記ダンパは、前記ボックス本体部の複数の側面に形成され、前記開口部は前記ボックスの底面に形成されている、ことを特徴とする。
【発明の効果】
【００１３】
請求項１に記載の発明によれば、空気流量調整用のダンパがダクトとの接続部、例えばボックス本体部の側面に形成されるので、従来技術のようにボックス以外の部位に新たにダンパを設ける必要がなく、ダンパの取付け労力を大幅に低減することができる。また、ダンパは、ボックス本体部の側面に切り起こしによって側面と一体に形成されるので、ダンパを構成する部品点数を少なくでき、構造を簡素化し、設置場所を省スペース化することができる。さらにまた、ダンパの切り起こし角度を変えることで、ダンパの形状、つまり、空気の流路の開口度をかえることができるので、ダンパを通過する空気を所定の流量に調節自在である。
【００１４】
請求項２に記載の発明によれば、ダンパは、第１の切り込み部と第２の切り込み部とを互いに接近するようにボックス本体部の内側に折り曲げることにより構成されているので、第１の切り込み部と第２の切り込み部との折り曲げ角度を調整することにより、空気流量調整を容易に行うことができる。
【００１５】
請求項３に記載の発明によれば、ミシン目によって第１の切り込み部と第２の切込部とを容易に折り曲げることができる。
【００１６】
請求項４に記載の発明によれば、複数のダンパから流入する空気は、ボックス本体部の内部において衝突して、底面に形成された開口部から押し出されるので、部品点数の少ない簡易な構造でも効率的に空気を混合することができる。
【図面の簡単な説明】
【００１７】
【図１】本発明の実施の形態に係るダンパ付空調用ボックスの第１のダンパ、第２のダンパを開いた状態を示す斜視図である。
【図２】図１のダンパ付空調用ボックスの第１のダンパ、第２のダンパを閉じた状態を示す斜視図である。
【図３】図１のダンパ付空調用ボックスの正面図である。
【図４】図１のダンパ付空調用ボックスを吹出口に設置した状態を示す断面図である。
【図５】図１のダンパ付空調用ボックスを使用した空調設備のダクト系統図である。
【図６】従来のダンパと空調用ボックスとを使用した空調設備のダクト系統図である。
【発明を実施するための形態】
【００１８】
以下、この発明を図示の実施の形態に基づいて説明する。
【００１９】
図１ないし図５は、この発明の実施の形態を示している。この実施の形態において、空調設備は、図５に示すように例えば、空気調和機１０１を通した空気（給気）を搬送する給気ダクトＳＡと、外気を取り込み外調器１０２で混合された空気（外気）ＳＯＡを搬送する外気ダクトＯＡとから搬送されるそれぞれの空気（給気と外気）をダンパ付空調用ボックス１で混合し、居室空間の天井などに設置された吹出口（アネモ）Ｖから吹き出すものである。図５の実施の形態では、還気と外気の混合を従来のように空気調和機１０１内ではなく、ダンパ付空調用ボックス１で行うようにしている。これにより、新鮮外気を給気受入の末端まで確実に搬送するとともに、外気流入量の個別調整を可能にしている。なお、外調機による温調は省略してもよい。
【００２０】
ダンパ付空調用ボックス１は、図１に示すように、主として、箱状のボックス本体部２と、給気ダクトＳＡと接続される第１のダンパ３と、外気ダクトＯＡと接続される第２のダンパ４とを備えている。
【００２１】
ボックス本体部２は、略１ｍｍの板厚の鉄板で形成された１辺の長さが略３００ｍｍの立方体状で、図１に示すように、一の面としての底面２ａに略円状に開口部２１が形成されている。底面２ａの開口部２１には、後述するように吹出口Ｖが配設されるようになっている。そして、接続されるダクトは直径略１００ｍｍのフレキシブルダクトである。
【００２２】
ボックス本体部２の他の面としての一つの側面２ｂに、図１〜図３に示すように、切り起こしによって側面２ｂと一体に形成され、給気ダクトＳＡと開口部２１とをそれぞれ連通する空気流量調整用の第１のダンパ３が配設されている。
【００２３】
第１のダンパ３は円弧状の軌跡を描く第１の切り込み部３１と、第１の切り込み部３１の基端部（半円状の円弧の立ち上がる起点部でありミシン目３１ｂ）を中心とした略線対称で、円弧状の軌跡を描く第２の切り込み部３２とによって形成されている。すなわち、第１の切り込み部３１と第２の切り込み部３２とは同一円周上に位置している。第１の切り込み部３１は、円弧状の切れ目３１ａと基端部側の直線状のミシン目３１ｂとで構成されている。第２の切り込み部３２は、第１の切り込み部３１と同様に構成されている。この円弧状の切れ目３１ａと３２ａは、同一円周上にｄ２だけ間隔をおいて形成されている。また、ミシン目３１ｂと３２ｂとの間は、ｄ１（＜ｄ２）だけ間隔をおいて形成されている。つまり、ミシン目３１ｂと３２ｂの切れ込み方向は、円弧状の切れ目３１ａと３２ａの端部よりも円弧の内側に形成されている。そして、この第１の切り込み部３１と第２の切り込み部３２とは、ミシン目３１ｂと３２ｂから切起こし可能（折曲可能）となっている。そして、図１に示すように、第１の切り込み部３１と第２の切り込み部３２とを互いに接近するようにボックス本体部２の内側または外側に折り曲げ立設させるべく第１のダンパ３が構成されている。ここで、第１の切り込み部３１と第２の切り込み部３２の折曲方向は、後日の保守を考慮するとボックス本体部２の内側が望ましいが、試運転時のみの調整であればボックス本体部２の外側に折り曲げてもよい。また、この第１の切り込み部３１と第２の切り込み部３２の折曲角度は調節自在で、折曲角度が大きいほど（第１の切り込み部３１と第２の切り込み部３２が立設するほど）開度は大きくなり、折曲角度が小さいほど開度は小さくなる。つまり、第１の切り込み部３１と第２の切り込み部３２を折り曲げるほど大きな風量の空気が供給される。
【００２４】
この第１のダンパ３の開口部（円弧状の切れ目３１と３２とで形成される円周上）には、給気ダクトＳＡとしてのフレキシブルダクトがカラー（図示略）を介して接続されるようになっている。なお、カラーはボックス本体部２にスポット溶接されている。
【００２５】
ボックス本体部２の他の側面２ｃには、図１〜図３に示すように、第１のダンパ３と同様に、切り起こしによって他の側面２ｃと一体に形成され、外気ダクトＯＡと開口部２１とをそれぞれ連通する空気流量調整用の第２のダンパ４が配設されている。
【００２６】
第２のダンパ４は円弧状の軌跡を描く第１の切り込み部４１と、第１の切り込み部４１の基端部（半円状の円弧の立ち上がる起点部でありミシン目３１ｂ）を中心とした略線対称で、円弧状の軌跡を描く第２の切り込み部４２とによって形成されている。すなわち、第１の切り込み部４１と第２の切り込み部４２とは同一円周上に位置している。第１の切り込み部４１は、円弧状の切れ目４１ａと基端部側の直線状のミシン目４１ｂとで構成されている。第２の切り込み部４２は、第１の切り込み部３１と同様に構成されている。この円弧状の切れ目４１ａと４２ａは、同一円周上にｄ２だけ間隔をおいて形成されている。また、ミシン目４１ｂと４２ｂとの間は、ｄ１（＜ｄ２）だけ間隔をおいて形成されている。つまり、ミシン目４１ｂと４２ｂの切れ込み方向は、円弧状の切れ目４１ａと４２ａの端部よりも円弧の内側に形成されている。そして、この第１の切り込み部４１と第２の切り込み部４２とは、ミシン目４１ｂと４２ｂから切起こし可能（折曲可能）となっている。そして、図１に示すように、第１の切り込み部４１と第２の切り込み部４２とを互いに接近するようにボックス本体部２の内側または外側に折り曲げ立設させるべく第２のダンパ４が構成されている。ここで、第１の切り込み部４１と第２の切り込み部４２の折曲方向は、後日の保守を考慮するとボックス本体部２の内側が望ましいが、試運転時のみの調整であればボックス本体部２の外側に折り曲げてもよい。また、この第１の切り込み部４１と第２の切り込み部４２の折曲角度は調節自在で、折曲角度が大きいほど（第１の切り込み部４１と第２の切り込み部４２が立設するほど）開度は大きくなり、折曲角度が小さいほど開度は小さくなる。つまり、第１の切り込み部４１と第２の切り込み部４２を折り曲げるほど大きな風量の空気が供給される。
【００２７】
この第２のダンパ４の開口部（円弧状の切れ目４１と４２とで形成される円周上）には、外気ダクトＯＡとしてのフレキシブルダクトがカラーを介して接続されるようになっている。なお、カラーはボックス本体部２にスポット溶接されている。以上により、温調済の還気と新鮮外気を試運転時に好適な割合で混合できる。
【００２８】
このような構成のダンパ付空調用ボックス１によって、給気ダクトＳＡから搬送される給気は、第１のダンパ３によって流量が調節され、外気ダクトＯＡから搬送される外気は、第２のダンパ４によって流量が調節される。そして、ダンパ付空調用ボックス１において、吹出口Ｖから吹き出される空気は所定の流量となっている。第１のダンパ３と第２のダンパ４から流入する空気は、ボックス本体部２の内部において衝突して、底面に形成された開口部２１から押し出されるので、部品点数の少ない簡易な構造でも効率的に空気を混合することができる。
【００２９】
次に、このような構成のダンパ付空調用ボックス１の取付け方法および作用について説明する。
【００３０】
まず、空調設備の施工に際して、給気ダクトＳＡや外気ダクトＯＡなどが天井近傍に配設される。次に、給気ダクトＳＡや外気ダクトＯＡなどの下方に、すなわち、天井面から所定距離だけ下方に天井下地Ｒ１、天井ボードＲ２が、吹出口Ｖの配設位置を除いて配設される。ここで、天井下地Ｒ１、天井ボードＲ２と天井面との間に形成された空間を天井裏といい、居室空間の天井面を第２の天井面という。
【００３１】
また、ダンパ付空調用ボックス１の第１のダンパ３、第２のダンパ４をダンパ付空調用ボックス１の内側に切起こして立設させ、ダンパ付空調用ボックス１の第１のダンパ３の開口部に給気ダクトＳＡとの接続用のカラーを、第２のダンパ４の開口部に外気ダクトＯＡとの接続用のカラーを、それぞれスポット溶接などで配設しておく。
【００３２】
そして、天井下地Ｒ１、天井ボードＲ２に開口部（吹出口Ｖの配設位置）２１を構成する前に、ダンパ付空調用ボックス１を、天井スラブに設けた吊ボルト（図示略）によって吊っておく。また、第１のダンパ３側のカラーに給気ダクトＳＡを接続し、第２のダンパ４側のカラーに外気ダクトＯＡをバンド等で接続する。さらに、ダンパ付空調用ボックス１やカラーなどの外周には断熱材が貼り付けられる。
【００３３】
そして、開口部２１を形成した後、居室空間側から図４に示すようにダンパ付空調用ボックス１の底面２ａの開口部２１に接続用のダクト（短管）を介して吹出口Ｖが配設される。
【００３４】
つぎに、空気調和機１０１を試運転して吹出口Ｖから吹き出される空気の流量などを測定し、所定値（設計値）となっているか否かが確認される。所定値となっていない場合は、吹出口Ｖのフェース部、例えばアネモであれば中コーン（図示略）が取外されて、吹出口Ｖ側からダンパ付空調用ボックス１の内部へ手が挿入されて、第１のダンパ３、第２のダンパ４の折曲角度が調節されることによって開度が調整される。
【００３５】
このようにして、図４に示すように、第２の天井面には所定の位置に吹出口Ｖが設置されて、空調設備の施工が完了する。そして、給気ダクトＳＡから搬送された給気は第１のダンパ３によって、所定の流量に調節されてダンパ付空調用ボックス１に搬送され、外気ダクトＯＡから搬送された外気ＳＯＡは第２のダンパ４によって、所定の流量に調節されてダンパ付空調用ボックス１に搬送される。そして、ダンパ付空調用ボックス１において、給気と外気ＳＯＡとが混合されて吹出口Ｖから居室空間へ吹き出されるようになっている。
【００３６】
以上のように、この実施の形態に係る発明によれば、空気流量調整用の第１のダンパ３、第２のダンパ４は、ボックス本体部２の側面２ｂ、２ｃに切り起こしによって側面２ｂ、２ｃと一体に形成されているので、従来技術のようにボックス本体部２以外の部位に新たにダンパを設ける必要がなく、ダンパの取付け労力を大幅に低減可能である。また、第１のダンパ３、第２のダンパ４はボックス本体部２の側面と一体に形成されているので、ダンパを構成する部品点数を少なくでき構造を簡素化するとともに、設置場所を省スペース化することができる。さらに、第１のダンパ３、第２のダンパ４の切り起こし角度を変えることで、第１のダンパ３、第２のダンパ４の形状、つまり、空気の流路の開度をかえることができるので、第１のダンパ３、第２のダンパ４を通過する空気を所定の流量に調節自在である。
【００３７】
また、流量を調節するため第１のダンパ３、第２のダンパ４は第１の切り込み部３１、４１と第２の切り込み部３２、４２とを互いに接近するようにボックス本体部２の内側に折り曲げ立設させることで構成されているので、第１の切り込み部３１、４１と第２の切り込み部３２、４２との折り曲げ角度を調整することにより、空気流量調整を容易に行うことができる。また、第１のダンパ３、第２のダンパ４はミシン目によって第１の切り込み部３１、４１と第２の切込部３２、４２とを容易に折り曲げることができる。
【００３８】
また、第１のダンパ３と第２のダンパ４とから流入する空気は、ボックス本体部２の内部において衝突して、底面に形成された開口部２１から押し出されるので、部品点数の少ない簡易な構造でも効率的に空気を混合することができる。
【００３９】
さらに、ダンパ付空調用ボックス１の設置は、天井裏に給気ダクトＳＡや外気ダクトＯＡなどを配設した後に、吹出口Ｖの配設位置に設けられた開口部２１から、つまり、居室空間側から行うことができるので、施工が容易である。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、この実施の形態ではダンパ付空調用ボックス１の側面をダクト接続の開口として、ここにはダンパを設けず、底面の吹出口接続部のダクトに本発明のダンパを設けてもよい。また、ダンパ付空調用ボックス１には第１のダンパ３、第２のダンパ４を備えるようにして説明したが、いずれか一方のみにダンパを配設するようにしてもよい。また、上記の実施の形態では、第１の切り込み部３１、４１、第２の切り込み部３２、４２はいずれも円弧状の軌跡を描くようにしたが、切り込み部が描く軌跡は三角形状や四角形状などの多角形状であっても、円弧以外の曲線状であってもよい。
【００４１】
さらに、この実施の形態ではダンパ付空調用ボックス１を空気調和機からの給気に使用する場合について説明したが、空気調和機への還気に使用できること、すなわち吹込口ボックスとして使用することはもちろんである。
【符号の説明】
【００４２】
１              ダンパ付空調用ボックス
２              ボックス本体部
２ａ            底面（一の面）
２ｂ            一つの側面（他の面）
２ｃ            他の側面
３              第１のダンパ
３１            第１の切り込み部
３２            第２の切り込み部
４              第２のダンパ
４１            第１の切り込み部
４２            第２の切り込み部
Ｖ              吹出口
Ｒ１            天井下地
Ｒ２            天井ボード
ＳＡ            給気ダクト
ＯＡ            外気ダクト
【図１】
2012145265.tif 000003
【図２】
2012145265.tif 000004
【図３】
2012145265.tif 000005
【図４】
2012145265.tif 000006
【図５】
2012145265.tif 000007
【図６】
2012145265.tif 000008